(57)【要約】【課題】デジタル印刷システムを使用した印刷機において、不合格品の枚葉紙が生じたときに印刷物への影響を最小限に止め、無駄なく効率的に印刷物を製作できる技術を提供すること。【解決手段】巻取紙から連続紙を供給する給紙部と、処理経路に沿って走行する連続紙にデジタル印刷する印刷部と、デジタル印刷された連続紙をその走行方向と直交する方向に切断して枚葉紙とする切断部と、前記枚葉紙を枚葉紙単位で処理経路から排出可能な排紙部と、前記枚葉紙を印刷物単位で積み重ねて枚葉紙の積重ね体とする積重ね部と、を備えた印刷機において、不良部が存在する連続紙の不良領域（Ｐ２）については前記枚葉紙となる単位でデジタル印刷を行わずに当該連続紙の不良領域の後続の連続紙（Ｐ２’）に前記デジタル印刷を行わなかった分のデジタル印刷を行うとともに、前記デジタル印刷を行わなかった枚葉紙（Ｐ２）を処理経路から排出する。【選択図】図４
2015123675.tif 000002
【特許請求の範囲】
【請求項１】
巻取紙から連続紙を供給する給紙部と、
制御部からの指令により、処理経路に沿って走行する連続紙にデジタル印刷する印刷部と、
前記印刷部の上流側に配置され、走行する連続紙の不良部を検知する不良部検知センサと、
デジタル印刷された連続紙をその走行方向と直交する方向に切断して、印刷物を構成する枚葉紙とする切断部と、
前記制御部からの指令により、前記枚葉紙を枚葉紙単位で処理経路から排出可能な排紙部と、
印刷物を構成する枚葉紙を印刷物単位で積み重ねて枚葉紙の積重ね体とする積重ね部と、を備え、
前記制御部は、前記不良部検知センサからの不良部の検知情報に基づいて当該不良部が存在する連続紙の不良領域を特定し、当該不良領域を含む枚葉紙を処理経路から排出するように前記排紙部に指令するとともに、前記排紙部で排出されることになる排紙枚葉紙分のデジタル印刷を当該排紙枚葉紙となる領域の後続の連続紙に行うように前記印刷部に指令することを特徴とする印刷機。
【請求項２】
巻取紙から連続紙を供給する給紙部と、
制御部からの指令により、処理経路に沿って走行する連続紙にデジタル印刷する印刷部と、
前記印刷部の上流側に配置され、走行する連続紙の不良部を検知する不良部検知センサと、
前記制御部からの指令により、デジタル印刷された連続紙をその走行方向と直交する方向に切断する切断部と、
前記制御部からの指令により、前記切断部で切断された紙を処理経路から排出可能な排紙部と、
印刷物を構成する枚葉紙を印刷物単位で積み重ねて枚葉紙の積重ね体とする積重ね部と、を備え、
前記制御部は、常時は前記連続紙を、印刷物を構成する枚葉紙単位で切断するように前記切断部に指令し、前記不良部検知センサからの不良部の検知情報を受信したときは、その検知情報に基づいて当該不良部が存在する連続紙の不良領域を特定し、当該不良領域の終端位置において前記連続紙を切断するように前記切断部に指令し、更に前記制御部は、前記不良領域を含む枚葉紙及び前記不良領域の終端位置において切断して得られた不良紙を処理経路から排出するように前記排紙部に指令するとともに、前記排紙部で排出されることになる排紙枚葉紙分及び前記不良紙によって欠如する枚葉紙分のデジタル印刷を前記不良領域の終端位置に後続する連続紙に行うように前記印刷部に指令することを特徴とする印刷機。
【請求項３】
前記制御部は、前記連続紙の不良領域についてはデジタル印刷を行わないように前記印刷部に指令する請求項１又は２に記載の印刷機。
【請求項４】
巻取紙から連続紙を供給する給紙部と、
処理経路に沿って走行する連続紙にデジタル印刷する印刷部と、
デジタル印刷された連続紙をその走行方向と直交する方向に切断して、印刷物を構成する枚葉紙とする切断部と、
前記枚葉紙を枚葉紙単位で処理経路から排出可能な排紙部と、
印刷物を構成する枚葉紙を印刷物単位で積み重ねて枚葉紙の積重ね体とする積重ね部と、を備えた印刷機による印刷方法において、
不良部が存在する連続紙の不良領域を特定し、当該不良領域を含む枚葉紙を前記排紙部において処理経路から排出するとともに、前記排紙部で排出されることになる排紙枚葉紙分のデジタル印刷を当該排紙枚葉紙となる領域の後続の連続紙に行うことを特徴とする印刷方法。
【請求項５】
巻取紙から連続紙を供給する給紙部と、
処理経路に沿って走行する連続紙にデジタル印刷する印刷部と、
デジタル印刷された連続紙をその走行方向と直交する方向に切断する切断部と、
前記切断部で切断された紙を処理経路から排出可能な排紙部と、
印刷物を構成する枚葉紙を印刷物単位で積み重ねて枚葉紙の積重ね体とする積重ね部と、を備えた印刷機による印刷方法において、
常時は前記連続紙を、印刷物を構成する枚葉紙単位で切断し、前記連続紙に不良部を検知したときは、当該不良部が存在する連続紙の不良領域を特定し、当該不良領域の終端位置において前記連続紙を切断し、更に、前記不良領域を含む枚葉紙及び前記不良領域の終端位置において切断して得られた不良紙を前記排出部において処理経路から排出するとともに、前記排紙部で排出されることになる排紙枚葉紙分及び前記不良紙によって欠如する枚葉紙分のデジタル印刷を前記不良領域の終端位置に後続する連続紙に行うことを特徴とする印刷方法。
【請求項６】
前記連続紙の不良領域についてはデジタル印刷を行わない請求項４又は５に記載の印刷方法。
【発明の詳細な説明】
【技術分野】
【０００１】
本発明は、デジタル印刷による印刷機及び印刷方法に関する。
【背景技術】
【０００２】
従来、印刷物の代表の一つである新聞の印刷は、大量発行を可能にする点から刷版を使用したオフセット輪転機によって行われるのが一般的であった。ところが近年、新聞においても多種類・少量発行のニーズが現れ、そのニーズに対応するため、刷版を使用しないデジタル印刷システムによる新聞製作方法が、例えば特許文献１に提案されている。また、特許文献１には、デジタル印刷された連続紙を切断した枚葉紙のうち、不良印刷部や破損部等の不合格品を処理経路から取り除く除去装置も提案されている。
【０００３】
しかし、特許文献１のように不合格品の枚葉紙を処理経路から取り除いたとしても、不合格品の枚葉紙に対応する印刷物の頁が欠落したままであるので、その不合格品の枚葉紙が含まれる印刷物全体が不合格品となる、したがって、その不合格品の印刷物は破棄せざるを得ず、別途、印刷物全体を再印刷する必要があるという無駄が生じる。
【先行技術文献】
【特許文献】
【０００４】
【特許文献１】特許第５１５５５２８号公報
【発明の概要】
【発明が解決しようとする課題】
【０００５】
本発明が解決しようとする課題は、デジタル印刷システムを使用した印刷機において、不合格品の枚葉紙が生じたときに印刷物への影響を最小限に止め、無駄なく効率的に印刷物を製作できる技術を提供することにある。
【課題を解決するための手段】
【０００６】
本発明は、不合格品の枚葉紙が生じる要因として、デジタル印刷する前の連続紙に生じる不良部、典型的には連続紙の紙継ぎにより生じる不良部（紙継ぎ部）に焦点を当て、その紙継ぎ部等に起因する不合格品の枚葉紙が生じたときに印刷物への影響を最小限に止める技術を提供する。
【０００７】
すなわち本発明によれば、以下の印刷機及び印刷方法が提供される。
（１）巻取紙から連続紙を供給する給紙部と、制御部からの指令により、処理経路に沿って走行する連続紙にデジタル印刷する印刷部と、前記印刷部の上流側に配置され、走行する連続紙の不良部を検知する不良部検知センサと、デジタル印刷された連続紙をその走行方向と直交する方向に切断して、印刷物を構成する枚葉紙とする切断部と、前記制御部からの指令により、前記枚葉紙を枚葉紙単位で処理経路から排出可能な排紙部と、印刷物を構成する枚葉紙を印刷物単位で積み重ねて枚葉紙の積重ね体とする積重ね部と、を備え、前記制御部は、前記不良部検知センサからの不良部の検知情報に基づいて当該不良部が存在する連続紙の不良領域を特定し、当該不良領域を含む枚葉紙を処理経路から排出するように前記排紙部に指令するとともに、前記排紙部で排出されることになる排紙枚葉紙分のデジタル印刷を当該排紙枚葉紙となる領域の後続の連続紙に行うように前記印刷部に指令することを特徴とする印刷機。
（２）巻取紙から連続紙を供給する給紙部と、制御部からの指令により、処理経路に沿って走行する連続紙にデジタル印刷する印刷部と、前記印刷部の上流側に配置され、走行する連続紙の不良部を検知する不良部検知センサと、前記制御部からの指令により、デジタル印刷された連続紙をその走行方向と直交する方向に切断する切断部と、前記制御部からの指令により、前記切断部で切断された紙を処理経路から排出可能な排紙部と、印刷物を構成する枚葉紙を印刷物単位で積み重ねて枚葉紙の積重ね体とする積重ね部と、を備え、前記制御部は、常時は前記連続紙を、印刷物を構成する枚葉紙単位で切断するように前記切断部に指令し、前記不良部検知センサからの不良部の検知情報を受信したときは、その検知情報に基づいて当該不良部が存在する連続紙の不良領域を特定し、当該不良領域の終端位置において前記連続紙を切断するように前記切断部に指令し、更に前記制御部は、前記不良領域を含む枚葉紙及び前記不良領域の終端位置において切断して得られた不良紙を処理経路から排出するように前記排紙部に指令するとともに、前記排紙部で排出されることになる排紙枚葉紙分及び前記不良紙によって欠如する枚葉紙分のデジタル印刷を前記不良領域の終端位置に後続する連続紙に行うように前記印刷部に指令することを特徴とする印刷機。
（３）前記制御部は、前記連続紙の不良領域についてはデジタル印刷を行わないように前記印刷部に指令する（１）又は（２）に記載の印刷機。
（４）巻取紙から連続紙を供給する給紙部と、処理経路に沿って走行する連続紙にデジタル印刷する印刷部と、デジタル印刷された連続紙をその走行方向と直交する方向に切断して、印刷物を構成する枚葉紙とする切断部と、前記枚葉紙を枚葉紙単位で処理経路から排出可能な排紙部と、印刷物を構成する枚葉紙を印刷物単位で積み重ねて枚葉紙の積重ね体とする積重ね部と、を備えた印刷機による印刷方法において、不良部が存在する連続紙の不良領域を特定し、当該不良領域を含む枚葉紙を前記排紙部において処理経路から排出するとともに、前記排紙部で排出されることになる排紙枚葉紙分のデジタル印刷を当該排紙枚葉紙となる領域の後続の連続紙に行うことを特徴とする印刷方法。
（５）巻取紙から連続紙を供給する給紙部と、処理経路に沿って走行する連続紙にデジタル印刷する印刷部と、デジタル印刷された連続紙をその走行方向と直交する方向に切断する切断部と、前記切断部で切断された紙を処理経路から排出可能な排紙部と、印刷物を構成する枚葉紙を印刷物単位で積み重ねて枚葉紙の積重ね体とする積重ね部と、を備えた印刷機による印刷方法において、常時は前記連続紙を、印刷物を構成する枚葉紙単位で切断し、前記連続紙に不良部を検知したときは、当該不良部が存在する連続紙の不良領域を特定し、当該不良領域の終端位置において前記連続紙を切断し、更に、前記不良領域を含む枚葉紙及び前記不良領域の終端位置において切断して得られた不良紙を前記排出部において処理経路から排出するとともに、前記排紙部で排出されることになる排紙枚葉紙分及び前記不良紙によって欠如する枚葉紙分のデジタル印刷を前記不良領域の終端位置に後続する連続紙に行うことを特徴とする印刷方法。
（６）前記連続紙の不良領域についてはデジタル印刷を行わない（４）又は（５）に記載の印刷方法。
【発明の効果】
【０００８】
上記（１）及び（４）の印刷機及び印刷方法では、不良領域を含む枚葉紙を排紙部において処理経路から排出するとともに、排紙部で排出されることになる排紙枚葉紙分のデジタル印刷を当該排紙枚葉紙となる領域の後続の連続紙に行う。したがって後続の積重ね部では、不合格品の枚葉紙が合格品の枚葉紙に差し替えられた状態で、印刷物単位で枚葉紙の積重ね体とすることができる。
【０００９】
また、上記（２）及び（５）の印刷機及び印刷方法では、不良領域を含む枚葉紙及び不良領域の終端位置において切断して得られた不良紙を排出部において処理経路から排出するとともに、排紙部で排出されることになる排紙枚葉紙分及び不良紙によって欠如する枚葉紙分のデジタル印刷を不良領域の終端位置に後続する連続紙に行う。したがって後続の積重ね部では、不合格品の枚葉紙及び不良紙が合格品の枚葉紙に差し替えられた状態で、印刷物単位で枚葉紙の積重ね体とすることができる。
【００１０】
このように本発明によれば、不合格品の枚葉紙が生じたとしてもその不合格品の枚葉紙が含まれる印刷物全体を破棄し再印刷する必要はなくなる。すなわち、不合格品の枚葉紙が生じたときに印刷物への影響を最小限に止めることができ、インキ及び巻取紙を無駄にすることなく時間的にも効率よく印刷物を製作できる。特に、上記（２）及び（５）のように、不良領域の終端位置において連続紙を切断するようにすれば、排紙部で排出される紙の量を最小限に抑えることができ、巻取紙の無駄をより一層低減することができる。更に、上記（３）及び（６）のように、連続紙の不良領域にはデジタル印刷を行わないようにすれば、インキの無駄もより一層低減することができる。
【図面の簡単な説明】
【００１１】
【図１】本発明の一実施例による印刷機の装置構成図である。
【図２】図１の印刷機において１６頁の新聞を１部ずつ印刷するときの新聞製作過程を示すフロー図である。
【図３】図１の印刷機において１６頁の新聞を２部ずつ印刷するときの新聞製作過程を示すフロー図である。
【図４】本発明の印刷方法の一例を示すフロー図である。
【図５】本発明の印刷方法の他の例を示すフロー図である。
【発明を実施するための形態】
【００１２】
以下、図面に示す実施例に基づき、本発明の実施の形態を説明する。
【００１３】
（実施例１）
図１は、本発明の一実施例による印刷機の装置構成図である。同図に示す印刷機は、給紙部１０、印刷部２０、不良部検知センサ３０、切断部４０、排紙部５０、積重ね部６０、折り部７０及び制御部８０を備える。
【００１４】
給紙部１０は巻取紙Ｍ１から連続紙Ｐを処理経路に供給する。また、給紙部１０は、使用中の巻取紙Ｍ１の巻径が小さくなると、自動的に新しい巻取紙Ｍ２に紙継ぎをする自動紙継ぎ装置（オートペースター）を備える。図１において自動紙継ぎ装置は図示を省略しているが、自動紙継ぎ装置の構成及び作用は特にオフセット輪転機の技術分野において周知である。なお、紙継ぎは自動紙継ぎ装置によらず手動で行うこともできる。ただし、この場合は印刷機を停止して行う。
【００１５】
印刷部２０は制御部８０からの指令により、処理経路に沿って走行する連続紙Ｐにデジタル印刷する。図１の印刷部２０は、連続紙Ｐの表面及び裏面にそれぞれデジタル印刷する第１印刷機２１及び第２印刷機２２を備える。これらの第１印刷機２１及び第２印刷機２２は例えばインクジェット印刷機によって構成できる。
【００１６】
不良部検知センサ３０は印刷部２０の上流側に配置され、走行する連続紙Ｐの不良部、典型的には紙継ぎ部を検知する。不良部検知センサ３０は例えばイメージセンサによって構成でき、そのイメージを解析することで不良部（紙継ぎ部）を検知する。不良部検知センサ３０による不良部の検知情報は制御部８０に送られる。
【００１７】
切断部４０は、デジタル印刷された連続紙をその走行方向と直交する方向に切断して、印刷物を構成する枚葉紙とする。印刷物が新聞であるときは、枚葉紙の長さは見開き２頁分の長さであり、各枚葉紙には表面及び裏面を合わせて４頁分の印刷がなされている。
【００１８】
排紙部５０は制御部８０からの指令により、切断部４０で切断された枚葉紙のうち不良部が存在する枚葉紙を枚葉紙単位で処理経路から排出する。排紙部５０の排紙機構としては、枚葉紙を走行させるベルトコンベアを下向きにスイングさせて排紙する、走行中の枚葉紙を吸盤等で吸い取るといった周知の機構を適用できる。
【００１９】
積重ね部６０は、切断部４０で切断され排紙部５０で排出されなかった枚葉紙を印刷物単位（新聞であれば新聞一部単位）で積み重ねて枚葉紙の積重ね体とする。何枚の枚葉紙で印刷物が構成されるかの枚数情報は例えば制御部８０から送信され、この枚数情報に基づき積重ね部６０は印刷物単位で枚葉紙を積み重ねて積重ね体とする。図１の印刷機は積重ね部６０を直列に２個有する。後述するようにデジタル印刷を２部単位で行うような場合に、２個の積重ね部６０を並行して使用する。
【００２０】
折り部７０は積重ね部６０で形成された印刷物単位の枚葉紙の積重ね体を、印刷物としての頒布形状にする。図１の折り部７０は印刷物として新聞を想定し、第１折り機７１及び第２折り機７２を備えており、枚葉紙の積重ね体を新聞としての頒布形状にする。頒布形状にされた新聞は、デリバリーファン７３で１部ずつ受け取られ、デリバリーベルト７４に移載される。
【００２１】
なお、印刷物が新聞以外の場合、折り部７０は不要な場合がある。例えば、枚葉紙の積重ね体としただけで印刷物として完成する場合、折り部７０は不要である。また、枚葉紙の積重ね体を綴じるだけで印刷物として完成する場合、折り部７０に代えて綴じ部を設けることができる。
【００２２】
以下、図１の印刷機による印刷方法を新聞の印刷を例に説明する。まず、連続紙Ｐに不良部が存在しない場合の通常の印刷方法を説明する。
【００２３】
図２は、図１の印刷機を使用して１６頁の新聞を１部ずつ印刷するときの新聞製作過程を示すフロー図である。図２において連続紙Ｐに付されている数字は新聞の頁番号であり、裏面となっている頁の頁番号は括弧付きの数字で表している。また図２に示す連続紙Ｐには、切断部４０で切断されて枚葉紙Ｐ１〜Ｐ４とされるときの切断線を実線で示し、各枚葉紙Ｐ１〜Ｐ４における頁の区切りを破線で示している。
【００２４】
図２のように印刷された連続紙Ｐは、切断部４０で切断されて枚葉紙Ｐ１〜Ｐ４とされ、積重ね部６０において新聞１部単位で積み重ねられて積重ね体Ｎとされる。すなわち各積重ね体Ｎは４枚の枚葉紙Ｐ１〜Ｐ４が順番に積み重ねられてなる。この積重ね体Ｎは第１折り機７１でバックル折りされ、続いて第２折り機７２でチョッパ折りされて新聞としての頒布形状にされる。
【００２５】
図３は、図１の印刷機を使用して１６頁の新聞を２部ずつ印刷するときの新聞製作過程を示すフロー図である。図３に示す連続紙Ｐにも図２と同様に頁番号を付し、枚葉紙とされるときの切断線を実線で示し、各枚葉紙における頁の区切りを破線で示している。
【００２６】
図３ように印刷された連続紙Ｐは、切断部４０で切断されて枚葉紙Ｐ１（Ｎ１）〜Ｐ４（Ｎ２）とされ、２個の積重ね部６０に振り分けられ、一方の積重ね部６０で枚葉紙Ｐ１（Ｎ１）〜Ｐ４（Ｎ１）からなる積重ね体Ｎ１とされ、他方の積重ね部６０で枚葉紙Ｐ１（Ｎ２）〜Ｐ４（Ｎ２）からなる積重ね体Ｎ２とされる。これらの積重ね体Ｎ１，Ｎ２は図２と同様に、第１折り機７１でバックル折りされ、続いて第２折り機７２でチョッパ折りされて新聞としての頒布形状にされる。
【００２７】
次に、連続紙Ｐに不良部が検知されたときの印刷方法を説明する。
【００２８】
不良部検知センサ３０が連続紙Ｐに紙継ぎ部等の不良部が存在することを検知すると、その不良部の検知情報は制御部８０に送られる。制御部８０は不良部の検知情報を受け取ると、その不良部の検知情報に基づいて当該不良部が存在する連続紙Ｐの不良領域を特定するとともに、不良部検知センサ３０の検知位置から印刷部２０の第１印刷機２１及び第２印刷機２２までの距離情報と印刷機のラインスピード情報とから、その不良領域が第１印刷機２１及び第２印刷機２２にそれぞれ到達するまでの時間を演算する。この不良領域が到達するまでの時間の演算結果に基づき制御部８０は、第１印刷機２１及び第２印刷機２２に対して、当該不良領域については枚葉紙となる単位でデジタル印刷を行わないように指令する。更に制御部８０は、第１印刷機２１及び第２印刷機２２に対して、当該不良領域の後続の連続紙に前記デジタル印刷を行わなかった分のデジタル印刷を枚葉紙となる単位で行うように指令する。引き続き制御部８０は、前記デジタル印刷を行わなかった枚葉紙を処理経路から排出するように、排紙部５０に指令する。
【００２９】
図４は、上述の制御部８０の制御による本発明の印刷方法の一例を示すフロー図である。この例は、図２で説明した１６頁の新聞を１部ずつ印刷する場合において、不良部（不良領域）が１部目のＰ２の領域に存在する場合の例である。この場合、第１印刷機２１及び第２印刷機２２は制御部８０からの指令により、不良部が存在するＰ２の領域についてはデジタル印刷を行わずに後続の連続紙（図４中のＰ２’の領域）にＰ２の領域に印刷する予定であった分のデジタル印刷を行う。デジタル印刷を行わなかったＰ２の領域（枚葉紙Ｐ２）は、制御部８０の指令に基づき排紙部５０によって処理経路から排出される。そうすると、積重ね部６０において積み重ねられた積重ね体Ｎ’は、図２の積重ね体Ｎの枚葉紙Ｐ２が枚葉紙Ｐ２’に差し替えられた構成となり、新聞（印刷物）としての印刷情報は同一となる。すなわち、不良部が存在する枚葉紙Ｐ２のみが排出され、その他の枚葉紙は排出されることなく有効に利用されるので、無駄なく効率的に新聞（印刷物）を製作できる。
【００３０】
なお、図４では不良部がＰ２の領域のみに存在する場合について説明したが、例えば不良部がＰ２及びＰ３の領域に及ぶ場合も同様である。すなわち、不良部がＰ２及びＰ３の領域に及ぶ場合、不良部が存在するＰ２及びＰ３の領域についてはデジタル印刷を行わずに後続の連続紙にＰ２及びＰ３の領域に印刷する予定であった分のデジタル印刷を行い、デジタル印刷を行わなかったＰ２及びＰ３の領域（枚葉紙Ｐ２及びＰ３）を排紙部５０によって処理経路から排出する。また、図３で説明したように新聞を２部ずつ印刷する場合においても同様の方法で印刷物を製作できることは当業者に自明である。
【００３１】
（実施例２）
実施例１では、切断部４０において常に連続紙Ｐを枚葉紙単位で切断することとし、不良領域を含む連続紙Ｐも枚葉紙単位で排出するようにしたが、本実施例は、連続紙Ｐに不良部（不良領域）が検出されたときは、当該不良領域の終端位置において連続紙Ｐを切断するようにした例である。本実施例の印刷方法を、図１及び図５を参照して説明する。
【００３２】
本実施例において制御部８０は、常時は連続紙Ｐを枚葉紙単位で切断するように切断部４０に指令する。一方、不良部検知センサ３０からの不良部の検知情報を受信したときは、その検知情報に基づいて当該不良部が存在する連続紙Ｐの不良領域を特定し、当該不良領域の終端位置において連続紙Ｐを切断するように切断部４０に指令する。図５には、不良領域が１部目のＰ２の領域とＰ３に対応する領域の一部（Ｐ’）に存在している場合を示しており、この場合、連続紙Ｐは一旦、Ｐ’の終端位置で切断され、その後は再び枚葉紙単位で切断される。
【００３３】
また制御部８０は、不良領域を含む枚葉紙（Ｐ２）及び不良領域の終端位置において切断して得られた不良紙（Ｐ’）を処理経路から排出するように排紙部５０に指令する。更に制御部８０は、排紙部５０で排出されることになる排紙枚葉紙分（Ｐ２’）及び不良紙（Ｐ’）によって欠如する枚葉紙分（Ｐ３’）のデジタル印刷を不良領域の終端位置に後続する連続紙Ｐに行うように印刷部２０に指令する。そうすると図５に示すように、積重ね部６０において積み重ねられた積重ね体Ｎ’は、図２の積重ね体Ｎの枚葉紙Ｐ２，Ｐ３が枚葉紙Ｐ２’，Ｐ３’に差し替えられた構成となり、新聞（印刷物）としての印刷情報は同一となる。
【００３４】
このように本実施例では不良領域の終端位置において連続紙Ｐを切断するので、実施例１のように常に枚葉紙単位で排出する場合に比べ、排紙部５０で排出される紙の量を低減することができ、巻取紙の無駄をより一層低減することができる。なお、本実施例においても実施例１と同様に、連続紙Ｐの不良領域（Ｐ２及びＰ’）にはデジタル印刷を行わないようにすれば、インキの無駄も低減することができる。
【符号の説明】
【００３５】
１０  給紙部
２０  印刷部
２１  第１印刷機
２２  第２印刷機
３０  不良部検知センサ
４０  切断部
５０  排出部
６０  積重ね部
７０  折り部
７１  第１折り機
７２  第２折り機
７３  デリバリーファン
７４  デリバリーベルト
【図１】
2015123675.tif 000003
【図２】
2015123675.tif 000004
【図３】
2015123675.tif 000005
【図４】
2015123675.tif 000006
【図５】
2015123675.tif 000007